(57)【特許請求の範囲】
【請求項１】
スキャナ装置本体の上面に備えられている原稿載置台に載置された原稿を、圧板により加圧して、前記原稿の原稿画像面を前記原稿載置台に密着させて、前記原稿画像面を走査して読み取るスキャナ装置に適用される圧板開閉機構において、
前記原稿載置台の辺縁部に配設される圧板支持部であって、連結部材を介して前記圧板を回動自在に支持する圧板開閉支点が固設されている支持板を有する該圧板支持部が、該圧板支持部の底部に、前記原稿載置台に固定させるために前記原稿載置台の辺縁部に穿設された固定用挿通孔に挿通させて固定させることができるＬ字状の屈曲形状からなる固定用突起部と、
該圧板支持部の底面に前記支持板の外側方向に延在する一対の延長板と、
前記延長板のそれぞれ端部に上方に屈曲されて形成されたつまみと、
前記原稿載置台に設けられ、前記圧板支持部の前記原稿載置台に対する位置決め用ボスと、
前記延長板に設けられた、前記位置決め用ボスを挿通させることができる位置決め用挿通孔と、
を有していることを特徴とする圧板開閉機構。
【請求項２】
請求項１に記載の圧板開閉機構において、前記圧板支持部が、前記原稿載置台の辺縁部に穿設されている前記固定用挿通孔に挿通させて固定させることができる、１乃至複数個の前記固定用突起部を有していることを特徴とする圧板開閉機構。
【請求項３】
請求項１または２に記載の圧板開閉機構において、前記圧板支持部が、前記原稿載置台の辺縁部に固設されている前記位置決め用ボスを挿通させることができる、１乃至複数個の前記位置決め用挿通孔を有していることを特徴とする圧板開閉機構。
【請求項４】
請求項１乃至３のいずれか１つに記載の圧板開閉機構において、前記圧板支持部が、前記スキャナ装置本体とは、独立して、別個の構造部品として、備えられていることを特徴とする圧板開閉機構。
【請求項５】
請求項１乃至４のいずれか１つに記載の圧板開閉機構において、前記原稿載置台の辺縁部に、前記圧板支持部の底部に備えられている前記固定用突起部を挿通させて固定させることができる、１乃至複数個の前記固定用挿通孔が穿設されていることを特徴とする圧板開閉機構。
【請求項６】
請求項１乃至５のいずれか１つに記載の圧板開閉機構において、前記原稿載置台の辺縁部に、前記圧板支持部の底部に備えられている前記位置決め用挿通孔に挿通させることができる、１乃至複数個の前記位置決め用ボスが固設されていることを特徴とする圧板開閉機構。
【請求項７】
スキャナ装置本体の上面に備えられている原稿載置台に載置された原稿を、圧板により加圧して、前記原稿の原稿画像面を前記原稿載置台に密着させて、前記原稿画像面を走査して読み取るスキャナ装置において、
前記原稿載置台の辺縁部に配設される圧板支持部であって、連結部材を介して前記圧板を回動自在に支持する圧板開閉支点が固設されている支持板を有する該圧板支持部が、
該圧板支持部の底部に、前記原稿載置台に固定させるために前記原稿載置台の辺縁部に穿設された固定用挿通孔に挿通させて固定させることができるＬ字状の屈曲形状からなる固定用突起部と、
該圧板支持部の底面に前記支持板の外側方向に延在する一対の延長板と、
前記延長板のそれぞれ端部に上方に屈曲されて形成されたつまみと、
前記原稿載置台に設けられ、前記圧板支持部の前記原稿載置台に対する位置決め用ボスと、
前記延長板に設けられた、前記位置決め用ボスを挿通させることができる位置決め用挿通孔と、
を有している圧板開閉機構が備えられていることを特徴とするスキャナ装置。
【発明の詳細な説明】
【０００１】
【発明の属する技術分野】
本発明は、複写機，ファクシミリ，複合印刷機等の画像形成装置において、コンタクトガラス上に載置された原稿を圧板により加圧して、原稿画像面をコンタクトガラス面に密着させた状態で、走査して、原稿画像を読み取るスキャナ装置に適用され、特に、大判サイズの原稿画像を読み取る可能性があるスキャナ装置に適用される圧板開閉機構、及び、該圧板開閉機構を備えたスキャナ装置に関する。
【０００２】
【従来の技術】
従来から、原稿をコンタクトガラス等を有する原稿載置台上に載置して、該原稿の原稿画像を走査して読み取るスキャナ装置を備えている複写機，ファクシミリ，複合印刷機等の画像形成装置においては、載置した原稿を加圧して、該原稿の原稿画像面をコンタクトガラス面上に密着させる圧板が具備されている。該圧板は、原稿載置台の辺縁部、たとえば、後縁部に設けられている回動軸を支点として、原稿載置台と接離可能とする圧板開閉機構により支持されている。
【０００３】
かかるスキャナ装置に適用される圧板開閉機構に関しては、従来から、各種の工夫・発明がなされることにより、種々の圧板開閉機構が採用されてきている。たとえば、特開平５−２４９７６４号公報「画像読取装置」においては、２枚の圧板により圧板開閉機構を構成し、内側圧板が、透明ビニール製等の材料からなっていて、原稿の載置姿勢を目視により確認可能に形成し、外側圧板が、光遮蔽部材を形成することにより、原稿載置台上の原稿の姿勢を、内側圧板が閉鎖された状態のままでも、確認することが可能な圧板開閉機構が提案されている。
【０００４】
また、特開平５−２９７６６５号公報「画像形成装置」によって開示されている圧板開閉機構においては、アウタメンバ内にベアリングを介して嵌入させて、長手方向にスライド移動自由としたインナメンバの一方の端部を圧板の側面でヒンジ軸を中心に揺動可能に取り付け、他方のアウタメンバを原稿載置台の側面に固定させて備えさせることにより、ブックタイプの厚い原稿を載置する際においても、圧板がブックタイプ原稿の全面にほぼ均一に加圧させることができるものとしている。
【０００５】
また、特開平６−１６７７５３号公報「画像形成装置における原稿押え機構」においては、圧板を開放状態にした際に、原稿載置台に載置された原稿が、原稿載置台の後部側から落下することを防止すべく、該後部側に配設されているストッパを、ギアにより、上昇させたり、あるいは、圧板の開放状態では、圧板を取り外し可能とし、その代わりに、圧板の取り外し位置に、装着体を装着することにより、該装着体の閉動作に連動させて、ストッパを下降させることにより、ブックタイプ原稿や大判サイズ原稿を原稿載置面に密着させることを可能としている。
【０００６】
また、特開平６−３３２０８２号公報「画像読取り装置」によって開示されている圧板開閉機構においては、圧板が開放状態のまま放置されることに伴うコンタクトガラス面へのゴミ付着を防止するために、コンタクトガラス面に原稿が載置されていないことを検知するセンサを備えさせ、該センサが、原稿が載置されていないことを検知した際に、圧板開閉機構が、自動的に、圧板を閉止させることとしている。
【０００７】
また、特開平７−４３８４１号公報「画像読取り装置」によって開示されている圧板開閉機構においては、コンタクトガラスと圧板との間に可撓性シートを介在させることにより、圧板に反りや曲り等の変形があったとしても、原稿の浮き上がりや位置ずれに起因する画像読取り不良が発生することを防止する機構が提案されている。
【０００８】
更に、特開平９−３２９８５０号公報「圧板開閉機構」においては、原稿載置台の辺縁部に立設された支持板に、回動軸を固設させる一方、圧板の一辺の近傍に配設された支持板にも回動軸を固設させ、双方の回動軸に摺動可能に連接部材の軸受を係合させることにより、双方の回動軸を用いて、原稿載置台と接離可能な圧板を回動自在に支持させることを可能とし、簡易な部材からなる構成で、ブックタイプの厚い原稿でも、厚さに応じた高さの回動支点で、圧板を回動させることができる圧板開閉機構が提案されている。
【０００９】
更に、特開平１０−２９３３６５号公報「スキャナ装置の圧板開閉機構」においては、圧板の全開位置が、略鉛直状態から更に外方にまで回動することを制限するストッパレバーの先端部を、圧板の側面部に穿設されたスライド溝内に摺動させる摺動ピンにより形成している場合において、圧板の全開位置までの開放動作が繰り返される結果、該摺動ピンが圧板側面部のスライド溝の溝端部へ繰り返し当接して、該摺動ピンからの加圧力及び衝撃力により、スライド溝の溝端部にクラックが発生してしまうことを防止するために、該加圧力及び衝撃力の一部を分散させる補強部材を前記溝端部近傍に固設させている。
【００１０】
【発明が解決しようとする課題】
従来の複写機，ファクシミリ，複合印刷機等の画像形成装置に適用されているスキャナ装置においては、圧板による原稿への加圧は、通常の薄い原稿や、サイズの小さい原稿の場合においては、何ら、問題はなく、むしろ、原稿画像面の原稿載置台即ちコンタクトガラス面への密着性を向上させるためには、圧板による加圧が必須であった。しかしながら、ブックタイプや大判サイズの原稿を読み取る際においても、従来のスキャナ装置においては、圧板による原稿への加圧機構が採用されているものが多い。また、一部のスキャナ装置の圧板開閉機構においては、ブックタイプや大判サイズの原稿を読み取る際において、圧板を原稿載置台から離脱させる場合はあるものの、該圧板を回動自在に支持するために前記原稿載置台上に固設させている圧板支持部は、前記原稿載置台上に固着されて、立設されたままとする構成となっている。
【００１１】
しかしながら、ブックタイプの原稿や、あるいは、原稿載置面即ちコンタクトガラス面を超えてしまうような大判サイズの原稿を読み取る際には、圧板自体に、かかる原稿の一部が当接してしまったり、あるいは、原稿が載置されるコンタクトガラス面と同一面上の原稿載置台上に立設されている前記圧板支持部に、原稿の一部が当接してしまい、圧板を用いることが、原稿画像面をコンタクトガラス面に密着させる上で、反って、邪魔になってしまうという問題が、発生している。
【００１２】
本発明は、かかる問題に鑑みてなされたものであり、ブックタイプの原稿、あるいは、大判サイズの原稿を読み取りたい場合、コンタクトガラス面と同一面上の原稿載置台の辺縁部、たとえば、後縁部に立設されている圧板支持部を、圧板と共に、スキャナ装置本体から、容易に取り外すことが可能な機構を備えさせると共に、該圧板支持部を、スキャナ装置本体とは、別構造部品として用意させることにより、読み取る原稿の種類に応じて、簡便に、圧板及び圧板支持部の取り外し、及び、取り付けが可能な圧板開閉機構を提供せんとするものである。
【００１３】
【課題を解決するための手段】
請求項１に記載の圧板開閉機構は、スキャナ装置本体の上面に備えられている原稿載置台に載置された原稿を、圧板により加圧して、前記原稿の原稿画像面を前記原稿載置台に密着させて、前記原稿画像面を走査して読み取るスキャナ装置に適用される圧板開閉機構において、前記原稿載置台の辺縁部に配設される圧板支持部であって、連結部材を介して前記圧板を回動自在に支持する圧板開閉支点が固設されている支持板を有する該圧板支持部が、該圧板支持部の底部に、前記原稿載置台に固定させるために前記原稿載置台の辺縁部に穿設された固定用挿通孔に挿通させて固定させることができるＬ字状の屈曲形状からなる固定用突起部と、該圧板支持部の底面に前記支持板の外側方向に延在する一対の延長板と、前記延長板のそれぞれ端部に上方に屈曲されて形成されたつまみと、前記原稿載置台に設けられ、前記圧板支持部の前記原稿載置台に対する位置決め用ボスと、前記延長板に設けられた、前記位置決め用ボスを挿通させることができる位置決め用挿通孔と、を有していることを特徴とするものである。
【００１４】
請求項２に記載の圧板開閉機構は、請求項１に記載の圧板開閉機構において、前記圧板支持部が、前記原稿載置台の辺縁部に穿設されている前記固定用挿通孔に挿通させて固定させることができる、１乃至複数個の前記固定用突起部を有しているこを特徴とするものである。
【００１５】
請求項３に記載の圧板開閉機構は、請求項１または２に記載の圧板開閉機構において、前記圧板支持部が、前記原稿載置台の辺縁部に固設されている前記位置決め用ボスを挿通させることができる、１乃至複数個の前記位置決め用挿通孔を有していることを特徴とするものである。
【００１６】
請求項４に記載の圧板開閉機構は、請求項１乃至３のいずれか１つに記載の圧板開閉機構において、前記圧板支持部が、前記スキャナ装置本体とは、独立して、別個の構造部品として、備えられていることを特徴とするものである。
【００１７】
請求項５に記載の圧板開閉機構は、請求項１乃至４のいずれか１つに記載の圧板開閉機構において、前記原稿載置台の辺縁部に、前記圧板支持部の底部に備えられている前記固定用突起部を挿通させて固定させることができる、１乃至複数個の前記固定用挿通孔が穿設されていることを特徴とするものである。
【００１８】
請求項６に記載の圧板開閉機構は、請求項１乃至５のいずれか１つに記載の圧板開閉機構において、前記原稿載置台の辺縁部に、前記圧板支持部の底部に備えられている前記位置決め用挿通孔に挿通させることができる、１乃至複数個の前記位置決め用ボスが固設されていることを特徴とするものである。
【００１９】
請求項７に記載の圧板開閉機構は、スキャナ装置本体の上面に備えられている原稿載置台に載置された原稿を、圧板により加圧して、前記原稿の原稿画像面を前記原稿載置台に密着させて、前記原稿画像面を走査して読み取るスキャナ装置において、前記原稿載置台の辺縁部に配設される圧板支持部であって、連結部材を介して前記圧板を回動自在に支持する圧板開閉支点が固設されている支持板を有する該圧板支持部が、該圧板支持部の底部に、前記原稿載置台に固定させるために前記原稿載置台の辺縁部に穿設された固定用挿通孔に挿通させて固定させることができるＬ字状の屈曲形状からなる固定用突起部と、該圧板支持部の底面に前記支持板の外側方向に延在する一対の延長板と、前記延長板のそれぞれ端部に上方に屈曲されて形成されたつまみと、前記原稿載置台に設けられ、前記圧板支持部の前記原稿載置台に対する位置決め用ボスと、前記延長板に設けられた、前記位置決め用ボスを挿通させることができる位置決め用挿通孔と、を有している圧板開閉機構が備えられていることを特徴とするものである。
【００２１】
【発明の実施の形態】
以下に、本発明にかかる圧板開閉機構の実施形態について、図を用いて説明する。ここに、図４は、本発明にかかる圧板開閉機構を搭載したスキャナ装置において、圧板開閉機構の部位の一例を示す斜視図であり、図５は、図４に示す本発明にかかる圧板開閉機構を搭載したスキャナ装置において、圧板を全開状態にした場合における圧板開閉機構の部位の一例を示す側面図である。また、図６は、図４に示す本発明にかかる圧板開閉機構を搭載したスキャナ装置において、圧板開閉機構の部位の一例を示す分解側面図である。なお、図４乃至図６において、同一の構成部品については、同一の符号を付して示している。
【００２２】
ここに、図４及び図５の実施例に示すスキャナ装置は、複写機，ファクシミリ，複合印刷機等の画像形成装置において、通常のサイズの原稿や薄い原稿のみでなく、ブックタイプの原稿や大判サイズの原稿も読み取ることができるスキャナ装置を示しており、かかるスキャナ装置において本発明にかかる圧板開閉機構が適用される場合の一構成例を示している。なお、本発明にかかる圧板開閉機構は、図４乃至図６に示す構成からなるスキャナ装置に限定して適用されるものではなく、原稿載置台の上に立設されている圧板支持部を有するいかなるスキャナ装置に対しても、本発明にかかる圧板開閉機構を適用することが可能であることは言うまでもない。
【００２３】
図４乃至図６において、１は、原稿を走査して読み取る機能を有するスキャナ装置本体であり、スキャナ装置本体１の上面は、原稿を載置する原稿載置台を形成している。１ａは、スキャナ装置本体１の上面、即ち、原稿載置台に嵌め込まれたコンタクトガラスであり、コンタクトガラス１ａ面は、読み取られるべき画像を有する原稿が載置される原稿載置面を形成している。スキャナ装置本体１は、コンタクトガラス１ａ面に載置された原稿の原稿画像面に、コンタクトガラス１ａ面下に配置された光源からライン状の照射光を入射（走査）させることにより、原稿画像面からの反射光を取り込んで、原稿画像面の画像を読み取る。
【００２４】
２は、スキャナ装置本体１による画像の読取り動作時に、原稿載置面であるコンタクトガラス１ａ面に載置した原稿を加圧することにより、原稿画像面をガラスコンタクト１ａ面に密着させるための圧板であり、圧板開閉機構により、閉止位置乃至全開位置の範囲で、回動可能に支持されている。即ち、圧板２は、スキャナ装置本体１の上面にある原稿載置台の辺縁部（たとえば、コンタクトガラス１ａ面と同一面上にある原稿載置台の後方部に位置する一辺近傍部、即ち、後縁部）に立設された一対の圧板支持部５と、連結部材３と、圧板２側の一辺の近傍部に固設された開閉支持部６とにより、回動可能に支持されており、圧板支持部５，開閉支持部６に備えられている回動用支点（即ち、圧板開閉支点５ａ，圧板側支点６ａ）により、コンタクトガラス１ａに対して、接離する方向で回動させることができる。なお、圧板支持部５が立設される原稿載置台の辺縁部としては、原稿載置台の任意の位置の辺縁部であっても構わないが、以下の説明においては、該辺縁部としては、前述の後縁部に立設されている場合を実施例として、示すこととする。
【００２５】
而して、圧板２が、コンタクトガラス１ａから離隔する方向に回動されることにより、コンタクトガラス１ａの上面を開放状態とし、原稿をコンタクトガラス１ａ面上に載置させたり、逆に、取り出させたりすることができる。また、圧板２が、コンタクトガラス１ａに近接する方向に回動されることにより、コンタクトガラス１ａの上面を閉止状態とし、原稿画像面をコンタクトガラス１ａ面に密着させることができる。
なお、圧板２には、所定の厚さの弾性変形可能な密着部２ａが貼着されており、コンタクトガラス１ａに近接する方向へ回動させて、圧板２をコンタクトガラス１ａ面に閉止させた際には、密着部２ａが、弾性変形して、原稿画像面をコンタクトガラス１ａに密着させるようになっている。
【００２６】
また、連結部材３は、スキャナ装置本体１と圧板２とを連結させるための連結部材（即ち、ヒンジレバー）であり、該連結部材３は、一端部が、スキャナ装置本体１の上面である原稿載置台の後縁部に立設された圧板支持部５上に備えられた圧板開閉支点５ａにより軸支されていると共に、他端部が、圧板２に固設された開閉支持部６上に備えられた圧板側支点６ａにより軸支されている。即ち、図５に示すように、連結部材３の両端部に設けられている軸受３ａ，３ｂに、それぞれ、圧板開閉支点５ａ，圧板側支点６ａとが係合されることにより、スキャナ装置本体１と、圧板２とが連結されている。
【００２７】
圧板開閉支点５ａは、スキャナ装置本体１のコンタクトガラス１ａ面の延長面上、即ち、原稿載置台から一定間隔で鉛直方向に離隔するようにして、圧板支持部５に備えられている支持板５ｂに固設された回動軸を形成しており、一方、圧板側支点６ａは、圧板２の一辺側近傍において、密着部２ａに隣接するように立設された開閉支持部６に、圧板開閉支点５ａと同様の形式で固設された回動軸を形成している。
【００２８】
また、図６に示すように、連結部材３の両端部に設けられている軸受３ａ，３ｂは、それぞれが係合する圧板開閉支点５ａ側，圧板側支点６ａ側の一部を切り欠いたリング状を形成しており、双方の切欠き部は、互いに反対方向に設けられている。それぞれの切欠き部に対して、圧板開閉支点５ａ，圧板側支点６ａを押し付ける方向か、あるいは、切欠き部から圧板開閉支点５ａ，圧板側支点６ａを引き抜く方向に、一定以上の力が加えられると、該切欠き部が弾性変形して、該切欠き部が、圧板開閉支点５ａ，圧板側支点６ａの直径程度に拡開することにより、軸受３ａ，３ｂは、圧板開閉支点５ａ，圧板側支点６ａを容易に着脱させることができるように形成されている。即ち、連結部材３は、所謂、スナップフィット形式により、容易に着脱が可能な構造に形成されていて、スキャナ装置本体１と圧板２とを容易に連結させたり、離脱させたりすることができる。なお、双方の前記切欠き部が、互いに反対方向に開口部を有している場合のみでなく、同一方向に開口部を有している場合であっても、もちろん構わない。
【００２９】
更に、連結部材３は、軸受３ａが圧板開閉支点５ａに摺動可能に係合することにより、軸受３ａを基端部として、スキャナ装置本体１に対して回動自在に支持されると共に、該回動先端部となる他方の軸受３ｂが、圧板側支点６ａと摺動可能に係合することにより、該圧板側支点６ａを支点として、回動可能に支持されている。即ち、圧板開閉支点５ａが、スキャナ装置本体１側の回動支点部を、圧板側支点６ａが、圧板２側の回動支点部を構成し、軸受３ａが基端側の回動支持部を、軸受３ｂが回動先端側の回動支持部を構成している。
【００３０】
また、図５に示す符号４は、圧板２とスキャナ装置本体１とを連結させたストッパであり、連結部材３、圧板支持部５及び開閉支持部６と共に、圧板開閉機構を構成するものである。ストッパ４の各端部は、それぞれ、スキャナ装置本体１及び密着部２ａの側面（即ち、図５に示す側面図における紙面と平行な面）に、連結部材３とは別個に取り付けられているものであり、一対の回動制限部材を形成している。圧板２がコンタクトガラス１ａ面から離隔する方向に回動する際に、圧板２が、コンタクトガラス１ａ面の鉛直面よりも若干離隔する方向に回動した位置、即ち、圧板２が全開状態となる位置において、ストッパ４は、直線状態となり、それ以上にコンタクトガラス１ａ面から、圧板２が離隔する方向に回動することを制限している。
【００３１】
更に、圧板２がコンタクトガラス１ａ面に近接する方向に回動する際には、ストッパ４の中央にある折曲部４ｃが折れ曲がることにより、密着部２ａが、コンタクトガラス１ａ面に密着することを妨げないように構成されている。なお、ストッパ４は、スキャナ装置本体１の側面部に引掛け可能に形成されている連結軸４ａに、ストッパ４の基端側の先端部に設けられたフックを引っ掛けて回動可能に保持されると共に、圧板２の密着部２ａの側面部に、ストッパ４の他端側の先端部を回動可能にねじ４ｂにより、ねじ止めされることにより、スキャナ装置本体１と圧板２の密着部２ａとが連結されている。
【００３２】
かかる構成を有する圧板開閉機構においては、前述のごとく、連結部材３の基端側の軸受３ａは、スキャナ装置本体１の圧板開閉支点５ａに回動自在に支持されると共に、連結部材３の他端側の軸受３ｂにより、圧板２の圧板側支点６ａを回動自在に支持されている。従って、圧板２をコンタクトガラス１ａ面上に載置された原稿の厚さに応じて、圧板開閉支点５ａのみ、あるいは、圧板開閉支点５ａと圧板側支点６ａとの双方を、回動支点として、回動させる個とが可能である。而して、載置された原稿の厚さに拘わらず、圧板２の密着部２ａをコンタクトガラス１ａ面に平行な状態で対面させることが可能となり、原稿全面を均一に加圧させて、原稿画像面をコンタクトガラス１ａ面に密着させることができる。即ち、スキャナ装置本体１及び圧板２のそれぞれに備えられている圧板開閉支点５ａ及び圧板側支点６ａに、連結部材３の軸受３ａ及び３ｂが係合して摺動することにより、厚いブックタイプの原稿であっても、コンタクトガラス１ａ面上に、原稿画像面を密着させるように、圧板２を回動させることができる。
【００３３】
しかしながら、前述した構成部品のみでは、大判サイズの原稿を読み取る際には、問題が残されている。即ち、前述の圧板開閉機構の構成のみにおいては、連結部材３の軸受３ａ，３ｂに設けられている切欠き部を拡開させることにより、該軸受３ａ，３ｂに、それぞれ、圧板開閉支点５ａ，圧板側支点６ａを係合させたり、逆に、軸受３ａ，３ｂから、それぞれ、圧板開閉支点５ａ，圧板側支点６ａを引き抜かせて、連結部材３を着脱させて、スキャナ装置本体１と圧板２とを簡単に着脱させることが可能にはなっている。しかしながら、かかる圧板開閉機構のままでは、スキャナ装置本体１の上面である原稿載置台の後縁部に立設されている圧板支持部５も含めた着脱ではないため、コンタクトガラス１ａ面のサイズを超えて、更に、スキャナ装置本体１の上面の原稿載置台をも超えてしまうような、大判のサイズの原稿を載置せんとする場合においては、前記圧板支持部５に、載置する原稿の一部が当接してしまい、原稿画像面とコンタクトガラス１ａ面との密着性を悪化させてしまうこととなる。
【００３４】
従って、本発明にかかる圧板開閉機構においては、更に、該圧板支持部５をも着脱容易な構造としている。かかる圧板支持部５の構造について、図１乃至図３を用いて、詳細に説明する。なお、圧板支持部５の着脱は、圧板２を支持している圧板支持部５をスキャナ装置本体１に立設させたり、逆に、離脱させたりするものであるので、前述の連結部材３の着脱を行なわずに、圧板支持部５自体の着脱のみで、スキャナ装置本体１と圧板２との連結・離脱を行なわせることとしても良いし、あるいは、前述した連結部材３の着脱操作と連動させて、圧板支持部５の着脱操作を行なわしめてももちろん構わない。
【００３５】
ここに、図１は、本発明にかかる圧板開閉機構における圧板支持部５を装着したスキャナ装置本体１の要部の一例を拡大して示した平面断面図，正面断面図、及び、側面断面図である。即ち、図１（Ａ）が、圧板開閉機構における圧板支持部５を装着したスキャナ装置本体１の要部を拡大して示した平面断面図であり、図１R>１（Ｂ）が、圧板開閉機構における圧板支持部５を装着したスキャナ装置本体１の要部を拡大して示した正面断面図であり、図１（Ｃ）は、圧板開閉機構における圧板支持部５を装着したスキャナ装置本体１の要部を拡大して示した側面断面図である。
【００３６】
また、図２は、本発明にかかる圧板開閉機構における圧板支持部５をスキャナ装置本体１に取り付けるために、圧板支持部５の底部に設けられた固定用突起部と位置決め用挿通孔との形状の一例を示す斜視図であり、図３は、図２に示す圧板支持部５を取り付けるために、スキャナ装置本体１の上面である原稿載置台の後縁部に設けられた圧板支持部５の固定用挿通孔と位置決め用ボスとの形状の一例を示す斜視図である。なお、図１R>１乃至図３において、図４乃至図６に示すものと同一の構成部品については、同一の符号を付して示している。
【００３７】
まず、図２に示すごとく、スキャナ装置本体１の上面（原稿載置台）の後縁部に立設される圧板支持部５は、該圧板支持部５の底部として、矩形形状のフレーム枠からなる支持枠５ｃを有しており、矩形形状の該支持枠５ｃの対向する２つの辺には、２枚の支持板５ｂが立設されている。更に、２枚の該支持板５ｂの上端部相互間には、スキャナ装置本体１のコンタクトガラス１ａ面の延長面上から一定間隔で鉛直方向に離隔するようにして、連結部材３の軸受３ａと係合して回動軸を形成させるために、円筒状の形状を有する圧板開閉支点５ａが固設されている。
【００３８】
また、支持枠５ｃにおいて、支持板５ｂを立設させていない側の２辺には、更に、圧板支持部５を読取装置本体１に取り付けるための、固定用突起部５ｄ１，５ｄ２が、支持枠５ｃの底面から下方に向かって延在されている。支持枠５ｃの一方の辺に延在させて設けられている固定用突起部５ｄ１は、支持枠５ｃの内側方向に略直角に屈曲させた「Ｌ字状」の屈曲形状からなる突起部を有しており、他方の辺に延在させて設けられている固定用突起部５ｄ２は、支持枠５ｃの外側方向に略直角に屈曲させて、前記固定用突起部５ｄ１の屈曲方向と同一方向に屈曲させた「Ｌ字状」の屈曲形状からなる突起部を有している。
【００３９】
かかる固定用突起部５ｄ１，５ｄ２は、後述するように、図３に示すスキャナ装置本体１の上面（原稿載置台）の後縁部に穿設されている固定用挿通孔１ｄ１，１ｄ２に挿通させた後、固定用突起部５ｄ１，５ｄ２の屈曲部をスキャナ装置本体１の上面の裏面側に引掛けることにより、脱落防止可能な形状を有しており、スキャナ装置本体１の上面（原稿載置台）に圧板支持部５を固定させることができるようになっている。また、固定用突起部５ｄ１，５ｄ２は、スキャナ装置本体１と圧板支持部５とを固定させる度合いに応じて、１乃至複数個、配設させることとしても良い。図２においては、固定用突起部５ｄ１と固定用突起部５ｄ２とが、それぞれ、１個と２個備えられている場合を示している。
【００４０】
また、支持枠５ｃにおいて、もう一方の２辺、即ち、支持板５ｂを立設させた側の２辺にも、該圧板支持部５を、読取装置本体１と脱着させる際に、該圧板支持部５を指で挟持する（即ち、摘む）ことができる脱着用つまみ５ｆを形成させるための延長板５ｆ１が延在されている。
【００４１】
更に、脱着用つまみ５ｆを形成するために外側方向に向かって延在された各延長板５ｆ１の途中の部位には、スキャナ装置本体１と圧板支持部５との位置関係を決めるための位置決め用挿通孔５ｅが穿設されている。該位置決め用挿通孔５ｅは、後述するように、図３R>３に示すスキャナ装置本体１の上面である原稿載置台の後縁部に固設されている位置決め用ボス１ｅと挿通させることが可能な形状を有しており、スキャナ装置本体１に立設される圧板支持部５の位置決めを正確に行なうことが可能となっている。なお、図２においては、各延長板５ｆ１にそれぞれ１個ずつ、合計２個の位置決め用挿通孔５ｅが穿設されている例を示しているが、位置決め用挿通孔５ｅは、位置決め精度に応じて、１乃至複数個設けることとしても良い。
【００４２】
前述のように、図２に示す圧板支持部５は、あらかじめスキャナ装置本体１に固着されているものではなく、スキャナ装置本体１と着脱容易な構造を有する構造部品としての性格を有するものであり、スキャナ装置本体１への取り付け位置や取り付け方法を規格化していくことにより、スキャナ装置本体１とは、独立させて、別個に作製される取り付け用構造部品として、備えさせることも可能である。
【００４３】
次に、図３は、前述した図２に示すごとき圧板支持部５をスキャナ装置本体１の上面である原稿載置台の後縁部に取り付けるために、原稿載置台の後縁部に備えられていて、圧板支持部５をスキャナ装置本体１に固定するために穿設された固定用挿通孔１ｄ１，１ｄ２と、スキャナ装置本体１上における圧板支持部５の立設位置を決定するために固設された位置決め用ボス１ｅの形状とを例示している。
【００４４】
即ち、図３においては、図２に示す「Ｌ字状」の屈曲形状からなる固定用突起部５ｄ１，５ｄ２を、それぞれ挿通させて固定させるための固定用挿通孔１ｄ１，１ｄ２が、１個の圧板支持部５当たり、それぞれ、１個，２個穿設されている例が示されている。ここに、固定用挿通孔１ｄ１は、原稿載置台の後縁部の稜線上に穿設されており、一方の固定用挿通孔１ｄ２は、原稿載置台上で、前記固定用挿通孔１ｄ１の内側近傍の位置に穿設されている例を示している。かかる固定用挿通孔１ｄ１，１ｄ２は、前述の固定用突起部５ｄ１，５ｄ２の場合と同様に、固定する程度に応じて、１乃至複数個穿設することとしても良い。
【００４５】
また、図３においては、図２に示す位置決め用挿通孔５ｅを挿通させるための位置決め用ボス１ｅが、原稿載置台の後縁部に、１個の圧板支持部５当たり、２個固設されている例が示されている。かかる位置決め用ボス１ｅは、前述の位置決め用挿通孔５ｅの場合と同様に、位置決め精度の度合いに応じて、１乃至複数個固設することとしても良い。
【００４６】
なお、図２及び図３において例示している圧板支持部５の底部の形状及び原稿載置台上に設けられている圧板支持部の取付け用の固定用挿通孔１ｄ１，１ｄ２及び位置決め用ボス１ｅの形状は一例を示しているに過ぎず、これに限るものではなく、圧板２を回動可能に支持できるものであり、かつ、指で挟持して、互いに装着させ、固定させることが可能であれば、他の形状であっても、何ら構わないのは言うまでもない。
たとえば、圧板支持部５の底部を形成する支持枠５ｃが矩形形状ではなく、多角形状であっても、円形状であっても良いし、該支持枠５ｃから延在させた固定用突起部５ｄ１，５ｄ２の屈曲形状が、「Ｌ字状」ではなく、「くの字状」であってもよく、また、該固定用突起部５ｄ１，５ｄ２の先端形状が矩形形状でなく、台形や半円形の形状であっても、もちろん構わない。
【００４７】
更に、図１を用いて、圧板支持部５を、スキャナ装置本体１に装着、あるいは、スキャナ装置本体１から離脱させる操作について説明する。ここに、図１に示す各図面は、図２に示す圧板支持部５を、図３に示すスキャナ装置本体１の上面である原稿載置台の後縁部に装着させた場合における、該圧板支持部５の周辺部位を拡大して表示している図であり、前述したように、図１R>１（Ａ）が、スキャナ装置本体１の上方向から見下ろしてみた場合の平面断面図を示し、図１（Ｂ）が、スキャナ装置本体１を正面から見た場合の正面断面図を示し、図１（Ｃ）が、スキャナ装置本体１を真横から見た場合の側面断面図を示している。
【００４８】
圧板支持部５を、スキャナ装置本体１の上面である原稿載置台の後縁部に装着させる場合の操作を説明する。まず、図１（Ａ）、あるいは、図１（Ｂ）において、矢印５ｇにて示すように、圧板支持部５の底部に延在されている一対の脱着用つまみ５ｅを、指で挟持して（即ち、摘んで）、スキャナ装置本体１の上面の原稿載置台上を移動させて、図３に示すスキャナ装置本体１の上面（原稿載置台）の固定用挿通孔１ｄ１，１ｄ２に、それぞれ、図２に示す圧板支持部５の固定用突起部５ｄ１，５ｄ２を挿通させることができる位置まで移動させた後、図１（Ａ）における紙面と垂直方向に、圧板支持部５を押し下げるように操作して、圧板支持部５の固定用突起部５ｄ１，５ｄ２の先端部をスキャナ装置本体１の固定用挿通孔１ｄ１，１ｄ２のそれぞれに挿通させる。
【００４９】
その後、図１（Ａ）における紙面の下側方向から上側方向に向かって、スキャナ装置本体１の上面に沿って、圧板支持部５を移動させて、固定用突起部５ｄ１，５ｄ２の「Ｌ字状」屈曲形状の先端部を、固定用挿通孔１ｄ１，１ｄ２を介して、原稿載置台の裏側に引掛けさせるようにした状態を維持させたまま、原稿載置台上の位置決め用ボス１ｅに、圧板支持部５の位置決め用挿通孔５ｅを挿通させることができる位置まで移動させた後、図１（Ａ）における紙面と垂直方向に、圧板支持部５を押し下げるように操作して、原稿載置台の後縁部に固設されている位置決め用ボス１ｅに、圧板支持部５の位置決め用挿通孔５ｅを挿通させることにより、圧板支持部５がスキャナ装置本体１の上面である原稿載置台の後縁部に装着される。位置決め用挿通孔５ｅが、位置決め用ボス１ｅに挿通されることにより、圧板支持部５の装着位置が定まり、更に、固定用突起部５ｄ１，５ｄ２の「Ｌ字状」屈曲形状の先端部が、固定用挿通孔１ｄ１，１ｄ２を介して、原稿載置台の裏側に引掛けられる状態に維持されることにより、圧板支持部５が脱落することなく、原稿載置台上に固定される。
【００５０】
一方、圧板支持部５をスキャナ装置本体１の上面である原稿載置台の後縁部から離脱させる場合の操作は、装着する場合の操作を、逆に行なうことにより、実現できる。即ち、図１（Ａ）、あるいは、図１（Ｂ）において、矢印５ｇにて示しているように、圧板支持部５の脱着用つまみ５ｅを、指で挟持して、図１（Ａ）における紙面と垂直方向に、圧板支持部５を持ち上げるように操作して、図３に示すスキャナ装置本体１の上面（原稿載置台上）の位置決め用ボス１ｅから、図２R>２に示す圧板支持部５の位置決め用挿通孔５ｅを引き抜いた後、図１（Ａ）における紙面の上側方向から下側方向に向かって、スキャナ装置本体１の上面（原稿載置台）に沿って、圧板支持部５を移動させて、図３に示すスキャナ装置本体１の上面（原稿載置台）の固定用挿通孔１ｄ１，１ｄ２のそれぞれから、図２に示す圧板支持部５の固定用突起部５ｄ１，５ｄ２の屈曲部が引き抜ける状態にまで達した段階で、図１（Ａ）における紙面と垂直方向に、圧板支持部５を持ち上げるように操作することにより、圧板支持部５をスキャナ装置本体１から取り外すことができる。
【００５１】
【発明の効果】
圧板をスキャナ装置本体に軸支させるための圧板開閉支点を固設させた圧板支持部の底部に、スキャナ装置本体への固定用の突起部と、スキャナ装置本体との位置決め用の挿通孔とを配設させ、それぞれを、スキャナ装置本体の原稿載置台上に設けられた固定用挿通孔と位置決め用ボスとに、圧板支持部を指で挟持して、挿通させる操作を行なうことにより、何ら、工具類を使うことなく、簡便に、圧板支持部を、スキャナ装置本体上面の原稿載置台上に装着させることができる。
【００５２】
また、圧板支持部をスキャナ装置本体に装着させる場合と逆の操作を行なうことにより、圧板支持部を指で挟持して、互いに挿通させている前記位置決め用ボスと前記位置決め用挿通孔とを、更に、前記固定用挿通孔と前記固定用突起部とを離脱させる操作を行なうことにより、圧板支持部をスキャナ装置本体上面の原稿載置台から、何ら、工具類を使うことなく、簡便に取り外すことができる。
【００５３】
従って、コンタクトガラス面を超え、更には、原稿載置台も超えてしまうような大判サイズの原稿を読み取る場合であっても、コンタクトガラス面と同一面を形成しているスキャナ装置本体上面（原稿載置台）上から、突起して立設されている圧板支持部を、簡単に、取り外すことが可能であり、また、逆に、通常のサイズの原稿を読み取る場合には、簡単に、圧板支持部をスキャナ装置本体上面（原稿載置台）に装着させることが可能であり、いずれの場合であっても、コンタクトガラス面に読み取りたい原稿画像面を、密着させた状態で、走査して読み取ることができ、読取り不良の発生を防止することが可能である。
【図面の簡単な説明】
【図１】 本発明にかかる圧板開閉機構における圧板支持部を装着したスキャナ装置本体の要部の一例を拡大して示した平面断面図，正面断面図、及び、側面断面図である。
【図２】 本発明にかかる圧板開閉機構における圧板支持部をスキャナ装置本体に取り付けるために、圧板支持部の底部に設けられた固定用突起部と位置決め用挿通孔の形状との一例を示す斜視図である。
【図３】図２に示す圧板支持部を取り付けるために、スキャナ装置本体の上面である原稿載置台の後縁部に設けられた圧板支持部の固定用挿通孔と位置決め用ボスの形状との一例を示す斜視図である。
【図４】本発明にかかる圧板開閉機構を搭載したスキャナ装置において、圧板開閉機構の部位の一例を示す斜視図である。
【図５】図４に示す本発明にかかる圧板開閉機構を搭載したスキャナ装置において、圧板を全開状態にした場合における圧板開閉機構の部位の一例を示す側面図である。
【図６】図４に示す本発明にかかる圧板開閉機構を搭載したスキャナ装置において、圧板開閉機構の部位の一例を示す分解側面図である。
【符号の説明】
１    スキャナ装置本体
１ａ    コンタクトガラス
１ｄ１，１ｄ２    固定用挿通孔
１ｅ    位置決め用ボス
２    圧板
２ａ    密着部
３    連結部材
３ａ，３ｂ    軸受
４    ストッパ
４ａ    連結軸
４ｂ    ねじ
４ｃ    折曲部
５    圧板支持部
５ａ    圧板開閉支点
５ｂ    支持板
５ｃ    支持枠
５ｄ１，５ｄ２    固定用突起部
５ｅ    位置決め用挿通孔
５ｆ    脱着用つまみ
５ｆ１    延長板
５ｇ    つまみ方向
６    開閉支持部
６ａ    圧板側支点
【図１】
0003939920.tif 000002
【図２】
0003939920.tif 000003
【図３】
0003939920.tif 000004
【図４】
0003939920.tif 000005
【図５】
0003939920.tif 000006
【図６】
0003939920.tif 000007